(57)【要約】      （修正有）【課題】ゴルフプレイヤーが、日本ゴルフ協会から公式ハンディキャップの査定を受けるための手間を簡略できるようにする。【解決手段】プレイヤーがゴルフ場のフロントでプレイの受付を行う際に、リライトカードを提出する。役務提供者は読み込んだカードのデータを元に、インターネットを介してホストサーバーから、最新のＨＤＣＰを取得し、カードを更新し、ＨＤＣＰ証明書の通達に代える。ゴルフラウンド中に、プレイヤー本人又は第三者がこの記録装置にスコアを記入又は登録していく。ラウンド終了後、この記録装置に記録されたデータを一括取込装置で一括読み込みを行い、コンピューターに送る、コンピューターはインターネットを介しホストサーバーにデータを登録する。ホストサーバーは、現在、実行している、ＨＤＣＰ算定方式によって最新ＨＤＣＰを算定し記録する。【選択図】図１
2007160043.tif 000002
【特許請求の範囲】
【請求項１】
日本ゴルフ協会（以下ＪＧＡという）が認定する、ゴルフスコア公式ハンディキャップ（以下ＨＤＣＰという）査定及び通達を簡略するシステムであって、ゴルフプレイヤー（以下プレイヤーという）に通達するＨＤＣＰ証明を読書き可能なリライトカードを活用する手段と、リライトカード及びこれの読書きが可能な読書装置と、ラウンドスコアを一括取込可能な機能を有する記録装置と、この記録装置に記録されたデータを一括取込むことが可能な一括取込装置と、プレイヤーがゴルフラウンド中に、この記録装置を利用して、全ホールのスコアをプレイヤー本人又は第三者が記入又は登録する手段と、ラウンド終了後、記録装置に記録されたデータを一括取込む手段と、読書装置と一括取込装置に対して指示可能な機能を備えた制御装置及びデーターの一元管理のための外部記憶装置と、各装置それぞれを接続するための通信手段を備え、プレイヤー及びＪＧＡ加盟ゴルフ場（以下役務提供者という）の手間を簡略することを特徴とするＨＤＣＰ査定及び通達の簡略化システム。
【発明の詳細な説明】
【技術分野】
【０００１】本発明は、２００５年１月１日から実施されたＨＤＣＰ査定方式により、繁雑化したプレイヤーのコントロールカードへの記入及び役務提供者が行う算定並びに通達の手間の簡略化に関する手段である。【０００２】詳しくは、ＨＤＣＰの算定をする場合、その日のスコアをプレイヤー本人又は第三者（例えば同行するキャディ）がラウンド中に、コンピューター等に一括取込みが可能な、記録方式で記入又は登録することで、ラウンド終了後に行うプレイヤーのコントロールカードへの再記入及び役務提供者が行うＨＤＣＰ算定に関する一連の手間を簡略できるようにしたものである。【０００３】また、査定したＨＤＣＰの通達方法に、リライトカードを採用し、プレイヤーがゴルフ場に来場した際に、受付フロントでカードを最新のＨＤＣＰに更新することで、通達を簡略できるようにしたものである。
【背景技術】
【０００４】昨年まで、ＨＤＣＰ査定の条件として、コントロールカードの提出枚数は２０枚が最低条件であったが、改定後は半分の１０枚となった。その為に役務提供者に掛かるＨＤＣＰ算定の繁雑化・通達コストの増大が大きな負担となり、コンピューターへの依存度が益々拡大している。【０００５】しかし、コンピューターへのスコア入力は依然として手入力で行うため、ＨＤＣＰ査定の省力化が進まない状況にある。【０００６】また、算定したＨＤＣＰの通達方法についても、ＨＤＣＰ証明書の郵送や携帯電話を利用したメールによる通達等々、手間とコストの増大は解消されていない。
【発明の開示】
【発明が解決しようとしている課題】
【０００７】従来からの方式で、ＨＤＣＰ査定を実施、運用していくならば、次のような問題がある。
【０００８】ＨＤＣＰ査定のために、プレイヤー自身がラウンド終了後にコントロールカードに再入力して提出する手間が増大するためスコア申告に、バラツキが発生する可能性がある。
【０００９】役務提供者が行うＨＤＣＰ査定のための、手間が増大する。査定処理をコンピューターで行っている場合は、手入力操作が益々繁雑化する。
【００１０】ＨＤＣＰ査定回数が増加するため、その通達の手間及びコストが増大する。
【００１１】そこで、この発明は従来の課題を解決したものであって、スコアの再記入・コンピューターへの手入力及び通達の簡略化を提供することを目的とする。
【課題を解決するための手段】
【００１２】上述した課題を簡略化するために、プレイヤーに通達するＨＤＣＰ証明を読書可能なリライトカードを活用する手段と、リライトカード及びこれの読書きが可能な読書装置と、一括取込可能な機能を有する記録装置と、この記録装置に記録されたデータを一括取込むことが可能な一括取込装置と、プレイヤーがゴルフラウンド中に、この記録装置を利用して、プレイヤー本人又は第三者が記入又は登録する手段と、ラウンド終了後、記録装置に記録されたデータを一括取込む手段と、読書装置と一括取込装置に対して指示可能な機能を備えた制御装置及びデーターの一元管理のための外部記憶装置と、各装置それぞれを接続するための通信手段を備え、プレイヤー及び役務提供者の手間を簡略することを特徴とするＨＤＣＰ査定及び通達の簡略化システムによって解決する。
【００１３】また、本発明は、既存の装置を有効活用するシステムであり、新しい装置自体の発明ではない。
【００１４】本発明でいう、リライトカードとは、一般的に大型家電店やスーパマーケット等が行っている、ポイントカードサービス等と同様の機能を持つ、読書き可能なカードのことであり、また、読書装置とはリライトカードの読書きが可能な装置のことである。
【００１５】本発明でいう、一括取込み可能な記録装置とは、プレイヤーの全ホールのスコアを一括で取込める機能を備える装置で、一般的にはマークシート形式及びＯＣＲシート形式を有した用紙、又はモバイル端末のような電子記録装置（例えばＰＤＡ機器）等のことであり、ラウンドした各ホールのスコアを再入力する必要のない記録方法が可能な装置のことである。
【００１６】本発明でいう、一括取込み装置とは、マークシートやＯＣＲシートのデータを読み込み可能装置のことで、一般的にはスキャナ装置あるいはスキャン可能なプリンターやコピー機等の装置のことである。
【００１７】本発明でいう、制御装置とは、パーソナルコンピュータに代表される電子計算装置をいい、表示装置・入力装置及びソフトウェアを作動させる機能を備えた装置のことである。この装置により、前記読書装置・一括取込装置及び外部記憶装置の制御を行うことを特徴とする装置のことである。
【００１８】本発明でいう、外部記憶装置とは、一般的にサーバーと呼ばれる装置を利用し、この装置には、情報の記録手段としてデータベース機能を備えると共に、記録された情報を元に、ＨＤＣＰ算定をする機能も備え、前記制御装置との接続をインターネットを介して行うことを特徴とする装置のことである。
【発明の効果】
【００１９】役務提供者のデータ入力の繁雑化を解消することにより、役務提供者に所属する会員に対するＨＤＣＰ査定サービスばかりでなく、役務提供者が窓口となって、ＨＤＣＰ査定を広く一般にも普及させることが可能となり、ゴルフが健全な国民スポーツとして発展していく。
【００２０】また、リライトカードの活用により、通達コストの削減が可能となり、役務提供者の負担が減少する。
【発明を実施するための最良の形態】
【００２１】以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことない。逆に、実施の形態が発明に対応するものとしてここに記載されていたとしても、そのことは、その実施の形態が、その発明以外の発明には対応しないものであることを意味するものでもない。【００２２】さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。【００２３】本発明は、リライトカードをＨＤＣＰ証明書として、併用する形態をとる。【００２４】役務提供者は、受付フロントにて、プレイヤーからリライトカードを受け取り、読書装置・制御装置・インターネット・外部記憶装置を利用して最新ＨＤＣＰにリライトカードを更新して返却する形態をとる。【００２５】ゴルフラウンド中に記入するスコアカードの形式を一括取込み可能な形式（マークシート形式・ＯＣＲ形式・モバイル端末等々）に変更する。この記録形式で、ラウンド中に各自のスコアをプレイヤー本人又は第三者が、記入又は登録する形態をとる。【００２６】上記形式で作成された全ホールのスコアをラウンド終了後に、役務提供者が、一括取込装置・制御装置・インターネット・外部記憶装置を利用して記録する形態をとる。【００２７】外部記憶装置には、記録されたスコアデータを元にＨＤＣＰ算定を行う、ソフトを備え、随時、最新ＨＤＣＰの算出及び記録を行う形態をとる。
【実施例１】
【００２８】続いて、この発明に係るＨＤＣＰ査定及び通達の簡略化システム、このシステムで活用する装置について、図１を参照にしながら実施例を説明する。【００２９】図１は、本発明に係る実施形態として記録装置にマークシートを利用した場合の構成例を示す概念図である。【００３０】この実施形態では、プレイヤーがゴルフ場の受付フロントで、所定の受付カードに、プレイヤー自身の氏名・住所・電話番号等を記入して提出する手間を省略でき、さらにはその時点でのプレイヤー本人の最新ＨＤＣＰを確認できるものである。従来の方式ではプレイヤーが所属する役務提供者から発行されたＨＤＣＰ証明の提示がなければ、参加できなかった所属ゴルフ場以外が主催する公式競技大会への参加が容易にできるＨＤＣＰ証明書の代用として使用可能にしたものでもある。【００３１】プレイヤーがゴルフ場の受付フロントでプレイの受付を行う際に、リライトカード１を提出する。役務提供者は読書装置２に提出されたカード１を読み込ませ、読み込んだカード１のデータを元に、コンピューター３はインターネット４を介してホストサーバー５から、最新ＨＤＣＰ等を取得し、読書装置２により、カード１を更新しＨＤＣＰ通達に代える。また、役務提供者もプレイヤーの最新ＨＤＣＰを確認できるため、主催競技への参加にも支障がなくなる。【００３２】リライトカードに登録されているデータとは、会員コード・会員氏名・最終プレイ日付・ＨＤＣＰ有効期限・最新ＨＤＣＰ等のことである。【００３３】ホストサーバー５には、データベースを備え、マスター情報として、会員情報やコース情報等及び会員のスコア情報を保存できることとする。また、ＨＤＣＰ算定を行う機能も備えていることとする。【００３４】次に、プレイヤー自身の申告の手間及び役務提供者の査定の手間を簡略化する形態として、コンピューター３はホストサーバー５から取得した、プレイヤーの氏名・生年月日・最新ＨＤＣＰ等の情報をプリンター６を介して、マークシート７として出力こととする。【００３５】出力されたマークシート７は、プレイヤー本人又は第三者（例えば同行するキャディ）が持参し、ゴルフラウンド中の各ホール毎にスコアを記入することを特徴とするものである。【００３６】ゴルフラウンド終了後、全ホールのスコアが記入されたマークシート７を役務提供者に提出することとし、役務提供者はこのマークシート７のデータをスキャナ８により、一括読み込みし、コンピューター３へ送り込むこととし、コンピューター３への手入力操作を省略できることを特徴とするものである。【００３７】コンピューター３は、送り込まれてきたデータをインターネット４を介して、ホストサーバー５にデータを記録することで、データの一元管理を可能にすることを特徴とするものである。【００３８】利用する装置に関しては、既存する装置の中から、安全性・経済性・機能性等を考慮にいれて、リライトカード１は白濁リライトカードが適当、読書装置２はサーマル方式で通信規格にＬＡＮを備える装置が適当、コンピューター３はＷｉｎｄｏｗｓＸＰが作動し、インターネット接続可能な機能を備えるものが適当、インターネット４はＡＤＳＬ或は、光通信にて接続されるものが適当、ホストサーバー５にはデータベースが実装され１００ＧＢを超える記録容量を備え、ＨＤＣＰ算定アプリケーションや各装置間のデータ送受信用アプリケーションなど、総合アプリケーションが構築可能な機能を備えるものが適当である。【００３９】また、本発明のシステムを構成するソフトウェアとしては、読書装置２とコンピューター３とのデータ送受信を行うプログラム（以下ＰＧという）、コンピピューター３とインターネット４を介してホストサーバー５との送受信を行うＰＧ、ＨＤＣＰの算定を行うＰＧ、プリンター６からマークシート７を出力するためのＰＧ、マークシート７に記入されたスコアをスキャナ８により一括読み込むためのＰＧ等であり、全てのＰＧともＷｅｂ環境で、動作するものが適当である。【００４０】データベースとして構築する情報は、会員情報・役務提供者情報・ゴルフ場コースレート情報・会員別スコア情報等を備えることが適当である。
【産業上の利用可能性】
【００４１】本発明を利用することにより、役務提供者の負担が軽減されるため、従来は、各地のゴルフ連盟が主体となって推進している、全てのゴルファーにハンディキャップを、という目標に対して、役務提供者に掛かる負担増を理由に回避していたものが、一転し役務提供者自身の差別化戦略の一環として、ＪＧＡ準会員の取扱い窓口として、広く一般ゴルファーへのＪＧＡ準会員に対する勧誘が盛んになる可能性がある。【００４２】ＪＧＡ準会員が増大することは、ゴルフが一部の人間のレジャーとして扱われていたものが、国民的スポーツとして認知され発展していく。ＨＤＣＰは、年齢・性別・技量の異なる者同士が対等に競技を楽しむために規定されたものであり、一般ゴルファーにも取得のチャンスを拡大させることが必要であり、本発明はそれを可能とする。
【図面の簡単な説明】
【００４３】
【図１】ＨＤＣＰ査定及び通達の簡略システム概念図である。
【符号の説明】
【００４４】１…リライトカード
２…読書装置
３…コンピューター（電子計算装置）
４…インターネット
５…ホストサーバー
６…プリンター
７…マークシート
８…マークシートスキャナ
【図１】
2007160043.tif 000003